(57)【要約】  映像信号に応じて光の制御信号を生成する駆動制御回路（２）と、光の制御信号に応じて駆動信号を生成する駆動回路（７〜９）と、駆動制御回路から駆動回路へ光の制御信号を伝送する光導波路（６）と、駆動信号に応じて表示を行うプラズマディスプレイパネル（１９）とを有することを特徴とするプラズマディスプレイ装置が提供される。
2007096961.tif 000002
【特許請求の範囲】
【請求項１】
映像信号に応じて光の制御信号を生成する駆動制御回路と、
前記光の制御信号に応じて駆動信号を生成する駆動回路と、
前記駆動制御回路から前記駆動回路へ前記光の制御信号を伝送する光導波路と、
前記駆動信号に応じて表示を行うプラズマディスプレイパネルと
を有することを特徴とするプラズマディスプレイ装置。
【請求項２】
前記光導波路は、前記プラズマディスプレイパネルに駆動信号を供給するすべての駆動回路に前記光の制御信号を伝送することを特徴とする請求項１記載のプラズマディスプレイ装置。
【請求項３】
前記駆動回路の基準電位は変動する電位であることを特徴とする請求項１記載のプラズマディスプレイ装置。
【請求項４】
前記駆動制御回路は、複数の電気の制御信号を１個の電気の制御信号に変換し、前記１個の電気の制御信号を１個の光の制御信号に変換し、前記１個の光の制御信号を前記光導波路に出力することを特徴とする請求項１記載のプラズマディスプレイ装置。
【請求項５】
前記駆動制御回路は、複数の電気の制御信号を複数の光の制御信号に変換し、前記複数の光の制御信号を１個の光の制御信号に変換し、前記１個の光の制御信号を前記光導波路に出力することを特徴とする請求項１記載のプラズマディスプレイ装置。
【請求項６】
前記駆動回路は、前記光の制御信号を電気の制御信号に変換する受光部と、前記電気の制御信号を増幅する増幅回路とを有することを特徴とする請求項１記載のプラズマディスプレイ装置。
【請求項７】
前記駆動回路の電源電圧は、前記基準電位を基準にしたフローティング電源電圧であることを特徴とする請求項３記載のプラズマディスプレイ装置。
【請求項８】
前記制御回路は、さらに、前記増幅された制御信号を基に、前記プラズマディスプレイパネルに駆動信号を出力するスイッチング素子を有することを特徴とする請求項６記載のプラズマディスプレイ装置。
【請求項９】
前記受光部、前記増幅回路及び前記スイッチング素子は、同一の半導体チップ上に形成されることを特徴とする請求項８記載のプラズマディスプレイ装置。
【請求項１０】
前記スイッチング素子は、サステイン放電電圧を前記プラズマディスプレイパネルに出力するための素子であることを特徴とする請求項８記載のプラズマディスプレイ装置。
【請求項１１】
前記スイッチング素子の基準電位は変動する電位であることを特徴とする請求項１０記載のプラズマディスプレイ装置。
【請求項１２】
前記駆動回路は、前記１個の光の制御信号を１個の電気の制御信号に変換し、前記１個の電気の制御信号を複数の電気の制御信号に変換し、前記複数の電気の制御信号に応じて駆動信号を生成することを特徴とする請求項４記載のプラズマディスプレイ装置。
【請求項１３】
前記駆動回路は、前記１個の光の制御信号を複数の光の制御信号に変換し、前記複数の光の制御信号を複数の電気の制御信号に変換し、前記複数の電気の制御信号に応じて駆動信号を生成することを特徴とする請求項５記載のプラズマディスプレイ装置。
【請求項１４】
前記駆動制御回路は、電気の制御信号を光の制御信号に変換し、前記光の制御信号を前記光導波路に出力し、
前記駆動回路は、前記光導波路から光の制御信号を入力し、前記光の制御信号を電気の制御信号に変換し、前記電気の制御信号に応じて駆動信号を生成することを特徴とする請求項１記載のプラズマディスプレイ装置。
【請求項１５】
前記プラズマディスプレイパネルは、サステイン放電を行うための第１及び第２の電極を有し、
前記駆動回路は、前記第１及び第２の電極に駆動信号を供給する第１及び第２の駆動回路を有し、
前記駆動制御回路は、前記光導波路を介して前記第１及び第２の駆動回路にそれぞれ光の制御信号を伝送することを特徴とする請求項１４記載のプラズマディスプレイ装置。
【請求項１６】
前記光導波路は、光ファイバであることを特徴とする請求項１記載のプラズマディスプレイ装置。
【請求項１７】
映像信号に応じて光の制御信号を生成する制御信号生成ステップと、
前記光の制御信号を光導波路で伝送する伝送ステップと、
前記伝送された光の制御信号に応じて駆動信号を生成する駆動信号生成ステップと、
前記駆動信号に応じてプラズマディスプレイパネルの表示を行う表示ステップと
を有することを特徴とするプラズマディスプレイ装置の表示方法。
【発明の詳細な説明】
【技術分野】
【０００１】
本発明は、プラズマディスプレイ装置及びその表示方法に関する。
【背景技術】
【０００２】
プラズマディスプレイ装置は、大画面テレビジョン受像機として普及しつつあり、表示品位の向上とともに動作性能全般について改善が進められている。現在、平面ディスプレイとしてプラズマディスプレイ装置が実用化されており、高輝度の薄型ディスプレイとして期待されている。現在のプラズマディスプレイ装置は、画像を表示するプラズマディスプレイパネル、映像信号に応じた制御信号を生成する駆動制御回路及び前記制御信号に応じて動作する少なくとも１つの駆動回路で構成されている。前記制御信号を前記駆動回路に伝送する方法として、電気配線を利用して伝送している。【０００３】
一方、画像情報を光信号として表示装置に伝送する方法が、下記の特許文献１に記載されている。この特許文献１も、表示装置内の制御信号は、電気配線により伝送される。【０００４】
現在のプラズマディスプレイ装置において、映像信号に応じた制御信号は、電気配線で伝送されている。その為、電磁放射ノイズの影響を受けてしまい、駆動素子が誤動作してしまう可能性がある。特に、高電圧でスイッチングを行っているサステイン回路において、電磁放射ノイズによる誤動作により出力素子破壊が生じる可能性もある。また、電磁放射ノイズの影響を避ける為に等長配線設計等の制約を受け、配線距離の影響から制御信号の遅延時間にバラツキが生じるため高速制御が難しいという課題がある。【０００５】
特許文献１でも、表示装置内の制御信号は電気配線により伝送されるので、電磁放射ノイズの影響を受け、その課題を解決することはできない。【０００６】
【特許文献１】特開２０００−２００１１号公報
【発明の開示】
【０００７】
本発明の目的は、電磁放射ノイズの影響を受け難いプラズマディスプレイ装置及びその表示方法を提供することである。
【０００８】
本発明のプラズマディスプレイ装置は、映像信号に応じて光の制御信号を生成する駆動制御回路と、前記光の制御信号に応じて駆動信号を生成する駆動回路と、前記駆動制御回路から前記駆動回路へ前記光の制御信号を伝送する光導波路と、前記駆動信号に応じて表示を行うプラズマディスプレイパネルとを有することを特徴とする。
【０００９】
また、本発明のプラズマディスプレイ装置の表示方法は、映像信号に応じて光の制御信号を生成する制御信号生成ステップと、前記光の制御信号を光導波路で伝送する伝送ステップと、前記伝送された光の制御信号に応じて駆動信号を生成する駆動信号生成ステップと、前記駆動信号に応じてプラズマディスプレイパネルの表示を行う表示ステップとを有することを特徴とする。
【図面の簡単な説明】
【００１０】
【図１】図１は、本発明の第１の実施形態による３電極型のＡＣ駆動方式のプラズマディスプレイ装置の構成例を示す図である。
【図２】図２は、プラズマディスプレイパネルの構造例を示す分解斜視図である。
【図３】図３は、フィールドの構成例を示す概念図である。
【図４】図４は、Ｘ電極、Ｙ電極及びアドレス電極の駆動信号の波形例を示す図である。
【図５】図５は、暗号化回路、発光回路、受光回路及び解凍回路の構成例を示す図である。
【図６】図６は、本発明の第２の実施形態による３電極型のＡＣ駆動方式のプラズマディスプレイ装置の構成例を示す図である。
【図７】図７は、発光回路、多重回路、分離回路及び受光回路の構成例を示す図である。
【図８】図８は、本発明の第３の実施形態による発光回路及び受光回路の構成例を示す図である。
【図９】図９は、駆動回路の一部の構成例を示す回路図である。
【図１０】図１０は、本発明の第４の実施形態による発光回路及び受光回路の構成例を示す図である。
【図１１】図１１は、Ｘ電極駆動回路又はＹ電極駆動回路内のサステイン回路の構成例を示す回路図である。
【図１２】図１２は、３電極型のＡＣ駆動方式のプラズマディスプレイ装置の構成例を示す図である。
【発明を実施するための最良の形態】
【００１１】
図１２は、３電極型のＡＣ駆動方式のプラズマディスプレイ装置の構成例を示す図である。プラズマディスプレイ装置は、隣接して配置した複数のＸ電極６1及びＹ電極６２、それに交差する方向に配置した複数のアドレス電極６３、交差部分に配置した蛍光体を有する２枚の基板間に放電ガスを封入したプラズマディスプレイパネル（ＰＤＰ）６４、アドレス電極６３にアドレスパルスなどを印加するアドレス電極駆動回路６５、Ｘ電極６１に維持（サステイン）放電パルスなどを印加するＸ電極駆動回路６６、Ｙ電極６２に順次走査パルス及び維持（サステイン）放電パルスなどを供給するＹ電極駆動回路６７、各部の制御を行う駆動制御回路６８及び映像信号を受信する信号処理回路６９で構成される。前記駆動制御回路６８は、各電極の駆動回路６５、６６、６７にフラットケーブル（電気配線）７０、７１、７２を使用して電気信号を伝達する。【００１２】
（第１の実施形態）
図１は、本発明の第１の実施形態による３電極型のＡＣ駆動方式のプラズマディスプレイ装置の構成例を示す図である。本実施形態のプラズマディスプレイ装置は、映像信号処理回路１、暗号化回路３及び発光回路５を有する駆動制御回路２、受光回路１０及び解凍回路１２を有するＸ電極駆動回路７、受光回路１３及び解凍回路１５を有するＹ電極駆動回路８、受光回路１６及び解凍回路１８を有するアドレス電極駆動回路９、映像表示を行うプラズマディスプレイパネル１９及び光導波路６で構成される。信号処理回路１は、映像信号を受信し、駆動制御回路２に伝送する。駆動制御回路２は、映像信号に応じて複数の電気の制御信号を生成する。暗号化回路３は、複数の電気の制御信号を１個の電気の制御信号４に暗号化する。発光回路５は、１個の電気の制御信号４を１個の光の制御信号に変換し、光ファイバ等の光導波路６を用いて駆動回路７、８、９へ伝送する。光導波路６は、駆動制御回路２からすべての駆動回路７、８、９へ光の制御信号を伝送する。駆動回路７、８、９における受光回路１０、１３、１６は、それぞれ伝送された１個の光の制御信号を１個の電気の制御信号１１、１４、１７に変換する。解凍回路１２、１５、１８は、それぞれ１個の電気の制御信号を解凍し、複数の電気の制御信号に変換する。Ｘ電極駆動回路７は、複数の電気の制御信号に応じて駆動信号をＸ電極Ｘ１、Ｘ２、・・・に供給する。Ｙ電極駆動回路８は、複数の電気の制御信号に応じて駆動信号をＹ電極Ｙ１、Ｙ２、・・・に供給する。アドレス電極駆動回路９は、複数の電気の制御信号に応じて駆動信号をアドレス電極Ａ１、Ａ２、・・・に供給する。プラズマディスプレイパネル１９は、Ｘ電極Ｘ１、Ｘ２、・・・、Ｙ電極Ｙ１、Ｙ２、・・・及びアドレス電極Ａ１、Ａ２、・・・に供給される駆動信号に応じて表示を行う。【００１３】
光導波路６は、３個の駆動回路７〜９に共通の１本だけでもよいし、３個の駆動回路７〜９にそれぞれ１本ずつ設け、合計３本としてもよい。光導波路６を１本にする場合には、暗号化回路３は、駆動回路７〜９のすべての制御信号を１個の電気の制御信号４に変換し、発光回路５はその１個の電気の制御信号４を１個の光の制御信号に変換し、１本の光導波路６を介して３個の駆動回路７〜９に伝送する。光導波路６を３本にする場合には、暗号化回路３は、各駆動回路７〜９毎に複数の制御信号を１個の電気の制御信号４に変換し、発光回路５は３個の電気の制御信号４を３個の光の制御信号に変換し、３本の光導波路６を介して３個の駆動回路７〜９に伝送する。また、駆動回路７〜９のうち少なくとも１個を光導波路６で伝送し、その他は電気配線により伝送してもよい。【００１４】
電気配線の代わりに、光導波路６を用いることにより、電磁放射ノイズ及び配線容量の影響を受けずに高速に制御信号を伝送することができる。【００１５】
図５は、暗号化回路２１、発光回路２３、受光回路２５及び解凍回路２７の構成例を示す図である。暗号化回路２１は図１の暗号化回路３に対応し、発光回路２３は図１の発光回路５に対応する。受光回路２５は図１の受光回路１０、１３及び１６に対応し、解凍回路２７は図１の解凍回路１２、１５及び１８に対応する。【００１６】
本実施形態は、電気の制御信号を光の制御信号に変換し伝送する。暗号化回路２１は、複数の電気の制御信号２０を１個の電気の制御信号２２に変換する。発光回路２３は、１個の電気の制御信号２２を１個の光の制御信号２４に変換し、光ファイバ等の光導波路６に出力する。受光回路２５は、光導波路６から１個の光の制御信号２４を入力し、１個の電気の制御信号２６に変換する。解凍回路２７は、１個の電気の制御信号２６を複数の電気の制御信号２８に変換する。【００１７】
図１において、Ｘ電極駆動回路７は、複数のＸ電極Ｘ１，Ｘ２，・・・に所定の電圧（駆動信号）を供給する。以下、Ｘ電極Ｘ１，Ｘ２，・・・の各々を又はそれらの総称を、Ｘ電極Ｘｉといい、ｉは添え字を意味する。Ｙ電極駆動回路８は、複数のＹ（スキャン）電極Ｙ１，Ｙ２，・・・に所定の電圧（駆動信号）を供給する。以下、Ｙ電極Ｙ１，Ｙ２，・・・の各々を又はそれらの総称を、Ｙ電極Ｙｉといい、ｉは添え字を意味する。アドレス電極駆動回路９は、複数のアドレス電極Ａ１，Ａ２，・・・に所定の電圧を供給する。以下、アドレス電極Ａ１，Ａ２，・・・の各々を又はそれらの総称を、アドレス電極Ａｊといい、ｊは添え字を意味する。【００１８】
プラズマディスプレイパネル１９では、Ｙ電極Ｙｉ及びＸ電極Ｘｉが水平方向に並列に延びる行を形成し、アドレス電極Ａｊが垂直方向に延びる列を形成する。Ｙ電極Ｙｉ及びＸ電極Ｘｉは、垂直方向に交互に配置される。Ｙ電極Ｙｉ及びアドレス電極Ａｊは、ｉ行ｊ列の２次元行列を形成する。表示セルＣｉｊは、Ｙ電極Ｙｉ及びアドレス電極Ａｊの交点並びにそれに対応して隣接するＸ電極Ｘｉにより形成される。この表示セルＣｉｊが画素に対応し、プラズマディスプレイパネル１９は２次元画像を表示することができる。【００１９】
図２は、プラズマディスプレイパネル１９の構造例を示す分解斜視図である。Ｘ電極Ｘｉ及びＹ電極Ｙｉは、前面ガラス基板２０１上に形成されている。その上には、放電空間に対し絶縁するための誘電体層２１３が被着されている。さらにその上には、ＭｇＯ（酸化マグネシウム）保護層２１４が被着されている。一方、アドレス電極Ａｊは、前面ガラス基板２０１と対向して配置された背面ガラス基板２０２上に形成される。その上には、誘電体層２１６が被着される。更にその上には、蛍光体２１８〜２２０が被着されている。隔壁２１７の内面には、赤、青、緑色の蛍光体２１８〜２２０がストライプ状に各色毎に配列、塗付されている。Ｘ電極Ｘｉ及びＹ電極Ｙｉの間の放電によって蛍光体２１８〜２２０を励起して各色が発光する。前面ガラス基板２０１及び背面ガラス基板２０２との間の放電空間には、Ｎｅ＋Ｘｅペニングガス等が封入されている。【００２０】
図３は、フィールドの構成例を示す概念図である。プラズマディスプレイ装置は、１つの表示画面を所定の周期毎に書き換えながら表示しており、１表示周期を１フィールドと称する。階調表示を行う場合には、１フィールドを更に複数のサブフィールドＳＦ１〜ＳＦ１０に分割し、表示セルＣｉｊ毎に発光するサブフィールドＳＦ１〜ＳＦ１０を組み合わせて表示を行う。各サブフィールドＳＦ１〜ＳＦ１０は、リセット期間Ｔｒ、アドレス期間Ｔａ及び維持放電期間Ｔｓを有する。【００２１】
図４は、Ｘ電極Ｘｉ、Ｙ電極Ｙｉ及びアドレス電極Ａｊの駆動信号の波形例を示す図である。各サブフィールドＳＦ１〜ＳＦ１０は、全表示セルＣｉｊを初期化するリセット期間Ｔｒと、全表示セルＣｉｊを表示する画像に対応した状態に設定するアドレス期間Ｔａと、設定された状態に応じて各表示セルＣｉｊを発光させる維持（サステイン）放電期間Ｔｓとで構成される。維持放電期間Ｔｓには、Ｘ電極ＸｉとＹ電極Ｙｉに交互に維持（サステイン）放電パルスが印加され、アドレス期間Ｔａに発光するように設定された表示セルＣｉｊで維持放電が行われ、これが表示のための発光になる。【００２２】
アドレス期間Ｔａでは、Ｙ電極Ｙ１，Ｙ２，・・・に対してスキャンパルスを順次スキャンして印加し、そのスキャンパルスに対応してアドレスパルスをアドレス電極Ａｊに印加することにより表示画素を選択する。Ｙ電極Ｙｉのスキャンパルスに対応してアドレス電極Ａｊのアドレスパルスが生成されれば、そのＹ電極Ｙｉ及びＸ電極Ｘｉの表示セルが選択される。Ｙ電極Ｙｉのスキャンパルスに対応してアドレス電極Ａｊのアドレスパルスが生成されなければ、そのＹ電極Ｙｉ及びＸ電極Ｘｉの表示セルが選択されない。スキャンパルスに対応してアドレスパルスが生成されると、アドレス電極Ａｊ及びＹ電極Ｙｉ間のアドレス放電が起こり、それを種火としてＸ電極Ｘｉ及びＹ電極Ｙｉ間で放電が起こり、Ｘ電極Ｘｉに負電荷が蓄積され、Ｙ電極Ｙｉに正電荷が蓄積される。【００２３】
維持放電期間Ｔｓでは、Ｘ電極Ｘｉ及びＹ電極Ｙｉ間に互いに逆相の維持放電パルスが印加され、選択された表示セルのＸ電極Ｘｉ及びＹ電極Ｙｉ間で維持放電を行い、発光を行う。【００２４】
（第２の実施形態）
図６は、本発明の第２の実施形態による３電極型のＡＣ駆動方式のプラズマディスプレイ装置の構成例を示す図である。本実施形態が第１の実施形態（図１）と異なる点を説明する。駆動制御回路２は、発光回路４０及び多重回路４２を有する。Ｘ電極駆動回路７は、分離回路４８及び受光回路５０を有する。Ｙ電極駆動回路８は、分離回路５１及び受光回路５３を有する。【００２５】
駆動制御回路２は、映像信号に応じて電気の制御信号を生成し、生成した電気の制御信号を光の制御信号に変換し、光導波路４３を介して、フローティング部を有するＸ電極駆動回路７及びＹ電極駆動回路８に伝送する。フローティング部については、後に図８、図９及び図１１を参照しながら説明する。フローティング部を有するＸ電極駆動回路７及びＹ電極駆動回路８は、制御信号を光伝送することにより、制御信号のレベル変換を容易に行うことができる。Ｘ電極駆動回路７は、伝送された光の制御信号を電気の制御信号に変換し、その電気の制御信号に応じて、駆動信号をＸ電極Ｘｉに供給する。Ｙ電極駆動回路８は、伝送された光の制御信号を電気の制御信号に変換し、その電気の制御信号に応じて、駆動信号をＹ電極Ｙｉに供給する。【００２６】
また、駆動制御回路２は、映像信号に応じて電気の制御信号を生成し、生成した電気の制御信号をそのまま、フラットケーブル（電気配線）４４を介して、フローティング部を有しないアドレス電極駆動回路９に伝送する。フローティング部を有しないアドレス電極駆動回路９は、制御信号のレベル変換を行う必要がないので、電気伝送でもよい。アドレス電極駆動回路９は、伝送された電気の制御信号に応じて駆動信号を生成し、アドレス電極Ａｊに出力する。なお、アドレス電極駆動回路９は、駆動回路７及び８と同様に、分離回路及び受光回路を設け、光導波路４３で駆動制御回路２に接続してもよい。【００２７】
発光回路４０は、複数の電気の制御信号を複数の光の制御信号４１に変換する。多重回路４２は、複数の光の制御信号４１を１個の光の制御信号に変換し、光導波路４３に出力する。例えば、多重回路４２は、複数波長の光の制御信号４１を多重化し、１個の光の制御信号に変換する。【００２８】
分離回路４８及び５１は、伝送された１個の光の制御信号を複数の光の制御信号４９及び５２に分離するように変換する。受光回路５０及び５３は、複数の光の制御信号４９及び５２を複数の電気の制御信号に変換する。【００２９】
Ｘ電極駆動回路７は、複数の電気の制御信号に応じて駆動信号を生成し、Ｘ電極Ｘｉに出力する。Ｙ電極駆動回路８は、複数の電気の制御信号に応じて駆動信号を生成し、Ｙ電極Ｙｉに出力する。【００３０】
光導波路４３により制御信号を光伝送することにより、電磁放射ノイズ及び配線容量の影響を受けず高速に制御信号を伝送することができる。図２〜図４の説明については、本実施形態は第１の実施形態と同じである。【００３１】
図７は、発光回路３０、多重回路３２、分離回路３４及び受光回路３６の構成例を示す図である。発光回路３０は図６の発光回路４０に対応し、多重回路３２は図６の多重回路４２に対応する。分離回路３４は図６の分離回路４８及び５１に対応し、受光回路３６は図６の受光回路５０及び５３に対応する。【００３２】
複数の発光回路３０は、複数の電気の制御信号２９を複数の光の制御信号３１に変換する。多重回路３２は、複数の光の制御信号３１を１個の光の制御信号３３に変換し、光導波路４３に出力する。分離回路３４は、伝送された１個の光の制御信号３３を複数の光の制御信号３５に変換する。複数の受光回路３６は、複数の光の制御信号３５を複数の電気の制御信号３７に変換する。【００３３】
（第３の実施形態）
図８は、本発明の第３の実施形態による発光回路５５及び受光回路５７の構成例を示す図である。発光回路５５は図１の発光回路５及び図６の発光回路４０に対応し、光導波路５６は図１の光導波路６及び図６の光導波路４３に対応し、受光回路５７は図１の受光回路１０，１３，１６及び図６の受光回路５０，５３に対応する。【００３４】
発光回路５５は、発光ダイオード８０１を有する。発光ダイオード８０１は、アノードが制御端子８０６に接続され、カソードがグランドに接続される。制御端子８０６には、電気の制御信号が入力される。ダイオード８０１は、制御信号がハイレベルになると発光し、制御信号がローレベルになると消灯する。以上のように、発光回路５５は、電気の制御信号を光の制御信号に変換することができる。【００３５】
受光回路５７は、受光部８０２、電圧増幅回路８０３、及びバイポーラトランジスタ８０４、８０５を有する。受光部８０２は、受光すると電荷を生成し、電圧が生じる。すなわち、受光部８０２は、光の制御信号を電気の制御信号に変換する。電圧増幅回路８０３は、電気の制御信号を電圧増幅する。バイポーラトランジスタ８０４及び８０５は、電気の制御信号を電流増幅する電流増幅回路を構成する。端子Ｂ１は、フローティング電源電圧端子であり、基準電位端子Ｂ３の電位を基準にしたフローティング電源電圧が印加される。端子Ｂ２は、基準電位端子Ｂ３の電位を基準にした制御信号が出力される。基準電位端子Ｂ３には基準電位が印加される。【００３６】
受光回路５７は、受光部８０２、電圧増幅回路８０３及び電流増幅回路８０４、８０５を有し、これらが同一の半導体チップ上に形成される。例えば、受光回路５７は、１個のＩＣ（集積回路）としてパッケージ化される。【００３７】
以上のように、発光回路５５の制御信号は、グランドを基準にした制御信号である。これに対し、受光回路５７の制御信号は、基準電位端子Ｂ３の電位を基準にした制御信号である。すなわち、発光回路５５及び受光回路５７は、制御信号をレベル変換することができる。電圧増幅回路８０３及び電流増幅回路８０４、８０５は、波形調整することができる。【００３８】
発光回路５５で生成された光信号は、光ファイバ等の光導波路５６を用いて受光回路５７に伝送される。受光回路５７は、光の制御信号を受光する際、レベルシフト及び波形調整ができる増幅回路を兼ね合わせることができる。また、光導波路５６で光伝送することにより、電磁放射ノイズに強く高速制御が可能な制御信号を伝送することができる。駆動回路の基準電位端子Ｂ３は、グランド固定に限定されないので、フローティング部のスイッチング素子等の制御端子（ゲート）を端子Ｂ２に接続することができる。【００３９】
図９は、各駆動回路７〜９の一部の構成例を示す回路図である。各駆動回路７〜９は、図８の端子Ｂ１〜Ｂ３に接続されるスイッチング素子（トランジスタ）９０２を有する。電源９０１は、例えば５Ｖであり、陰極が基準電位端子Ｂ３に接続され、陽極がフローティング電源電圧端子Ｂ１に接続される。ＭＯＳ電界効果トランジスタ９０２は、ゲートが制御端子Ｂ２に接続され、ソースが基準電位端子Ｂ３に接続される。トランジスタ９０２のゲートには、基準電位端子Ｂ３の電位を基準にした制御信号が供給される。フローティング電源電圧端子Ｂ１には、基準電位端子Ｂ３の電位を基準にした電源電圧が印加される。トランジスタ９０２は、上記の増幅された制御信号（制御端子Ｂ２の信号）を基に、プラズマディスプレイパネル１９に駆動信号を出力する。【００４０】
図１１は、図１及び図６のＸ電極駆動回路７又はＹ電極駆動回路８内のサステイン回路の構成例を示す回路図である。このサステイン回路は、図４の維持放電期間ＴｓにおけるＸ電極Ｘｉ又はＹ電極Ｙｉのサステイン放電電圧を生成し、Ｘ電極Ｘｉ又はＹ電極Ｙｉに出力する。このサステイン回路は、Ｘ電極駆動回路７及びＹ電極駆動回路８の両方に設けられる。【００４１】
制御端子ＣＴＬ１〜ＣＴＬ４は、図５の複数の電気の制御信号２８又は図７の複数の電気の制御信号３７を入力する。すなわち、制御端子ＣＴＬ１〜ＣＴＬ４は、それぞれ図８の制御端子Ｂ２に接続される。パネル容量Ｃｐ１は、Ｘ電極Ｘｉ及びＹ電極Ｙｉ及びその間の誘電体により構成される。すなわち、パネル容量Ｃｐ１は、一方の電極がＸ電極Ｘｉであり、他方の電極がＹ電極Ｙｉである。ＭＯＳ電界効果トランジスタＱ１及びＱ２はクランプ回路を構成する。トランジスタＱ１は、電圧ＶｓをＸ電極Ｘｉ又はＹ電極Ｙｉに供給するためのスイッチング素子である。トランジスタＱ２は、電圧−ＶｓをＸ電極Ｘｉ又はＹ電極Ｙｉに供給するためのスイッチング素子である。ＭＯＳ電界効果トランジスタＱ３、Ｑ４、インダクタＬ１、Ｌ２、ダイオードＤ１、Ｄ２、コンデンサＣ１は電力回収回路を構成する。制御端子ＣＴＬ１〜ＣＴＬ４は、それぞれトランジスタＱ１〜Ｑ４のゲートに接続される。トランジスタＱ１〜Ｑ４は、図９のトランジスタ９０２に対応し、それぞれ制御端子ＣＴＬ１〜ＣＴＬ４の制御信号に応じてオン又はオフする。なお、トランジスタＱ１〜Ｑ４は、電界効果トランジスタ以外のＩＧＢＴ等のスイッチング素子でもよい。【００４２】
図９のトランジスタ９０２が図１１のトランジスタＱ１の場合を説明する。トランジスタＱ１のソースは、基準電位端子Ｂ３に接続され、基準電位となる。また、トランジスタＱ１のソースは、パネル容量Ｃｐ１のＸ電極Ｘｉ又はＹ電極Ｙｉに接続される。Ｘ電極Ｘｉ又はＹ電極Ｙｉの電位は、図４の維持放電期間Ｔｓに示すように変動する電位である。すなわち、基準電位端子Ｂ３の電位は、Ｘ電極Ｘｉ又はＹ電極Ｙｉの変動する電位になる。フローティング電源電圧端子Ｂ１には、端子Ｂ３の変動する電位を基準とした電源電圧が供給される。制御端子Ｂ２には、端子Ｂ３の変動する電位を基準とした制御信号が供給される。これは、上述したように、図８の発光回路５５及び受光回路５７が行う制御信号のレベル変換により実現される。【００４３】
（第４の実施形態）
図１０は、本発明の第４の実施形態による発光回路５５及び受光回路５７の構成例を示す図である。本実施形態は、第３の実施形態（図８）に対して、抵抗１００１及びＭＯＳ電界効果トランジスタ１００２を追加したものである。その他の点は、本実施形態は、第３の実施形態（図８）と同じである。【００４４】
ＭＯＳ電界効果トランジスタ１００２は、ゲートが抵抗１００１を介してトランジスタ８０４及び８０５に接続され、ソースが基準電位端子Ｂ３に接続され、ドレインが制御端子Ｂ２に接続される。トランジスタ１００２は、図９のトランジスタ９０２に対応する。受光回路５７は、受光部８０２、電圧増幅回路８０３、電流増幅回路８０４、８０５、抵抗１００１及びトランジスタ（スイッチング素子）１００２を有し、これらが同一の半導体チップ上に形成される。例えば、受光回路５７は、１個のＩＣ（集積回路）としてパッケージ化される。【００４５】
第１〜第４の実施形態のプラズマディスプレイ装置は、自己発光型の表示装置であるため視認性がよく、薄型で大画面表示が可能なことから、ＣＲＴに代わる表示装置として注目が集められている。普及の促進のために、表示品位の向上とともに動作性能全般について改善が進められている。【００４６】
図１２のプラズマディスプレイ装置では、映像信号に応じた制御信号を電気配線７０〜７２を用いて駆動回路６５〜６７に伝送を行っていた。第１〜第４の実施形態によれば、前記制御信号を光信号に変換し、光導波路を用いて駆動回路７〜９に伝送する。【００４７】
駆動回路７〜９は、駆動制御回路２から伝送された制御信号の波形調整及びレベルシフトを行うことができる。プラズマディスプレイ装置は、制御信号を光信号に変換して伝送することにより、等長配線設計の制約を受けることなく電磁放射ノイズに強く、高速制御が可能となる。【００４８】
上記実施形態によれば、伝送する光の制御信号が電磁放射ノイズの影響を受けることなく、複数の制御信号を同時に伝送することが出来ると共に信号配線の自由度も確保でき、ケーブル数の削減や省スペース化が可能となる。同時に伝送速度が速く、遅延時間のバラツキが小さいため高速制御が可能となる。【００４９】
制御信号を光伝送することにより、制御信号が電磁放射ノイズに影響されることを防止できる。そのため、制御信号を基に動作するスイッチング素子（例えばトランジスタＱ１〜Ｑ４）の誤動作を防止することができる。特に、高電圧でスイッチングを行っているサステイン回路において、電磁放射ノイズによる誤動作によりトランジスタＱ１〜Ｑ４の破壊を防止することができる。また、電磁放射ノイズの影響を避ける為に駆動回路内の等長配線設計等の制約を受けないので、配線距離の影響から制御信号の遅延時間にバラツキが生じることを防止でき、高速制御を行うことができる。【００５０】
光伝送のための発光回路及び受光回路を用いて制御信号のレベル変換を行うことができるので、別途レベル変換専用の発光回路及び受光回路を設ける必要がなく、コスト低減及び省スペース化を実現できる。【００５１】
なお、上記実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【産業上の利用可能性】
【００５２】
光の制御信号は電磁放射ノイズの影響を受けにくく、駆動回路の誤動作を防止することができる。また、電磁放射ノイズの影響を防止するための駆動回路内の制御信号の配線の制約を小さくすることができ、駆動回路は高速に動作することができる。
【図１】
2007096961.tif 000003
【図２】
2007096961.tif 000004
【図３】
2007096961.tif 000005
【図４】
2007096961.tif 000006
【図５】
2007096961.tif 000007
【図６】
2007096961.tif 000008
【図７】
2007096961.tif 000009
【図８】
2007096961.tif 000010
【図９】
2007096961.tif 000011
【図１０】
2007096961.tif 000012
【図１１】
2007096961.tif 000013
【図１２】
2007096961.tif 000014
【国際調査報告】
2007096961.tif 000015
2007096961.tif 000016
2007096961.tif 000017
2007096961.tif 000018